(57)【要約】      （修正有）【課題】ギアポンプから吐出されるゴムへの異物の混入を防止しすることのできるゴム押出機を提供する。【解決手段】ギアポンプ式ゴム押出機１のギアポンプ１０は、ゴム吐出口１４Ａ、１４Ｂから吐出されたゴムを通過させる流路１７を形成する円錐状ブロック２を回転可能に設けて構成される。円錐状ブロック２は、駆動ピニオン１１と一体となって回転するように構成されており、円錐状ブロック２を回転するための専用の駆動機構を必要としない。【選択図】図３
2008223619.tif 000002
【特許請求の範囲】
【請求項１】
ギアケース内に、一つの駆動ピニオン、この駆動ピニオンの軸線周りに配置され駆動ピニオンに噛合することにより駆動される複数の従動ピニオン、前記駆動ピニオンの軸線上に中心軸を有し駆動ピニオンから離れるに従って断面が小さくなる円錐状ブロック、ゴムを吸入するゴム吸入口、および、ゴムを、前記ギアケースと前記円錐状ブロックとの間に形成された流路に吐出するゴム吐出口を具え、駆動ピニオンを回転することにより前記ゴム吸入口からゴム吐出口まで前記ピニオンの歯の間に収容されて搬送されたゴムを、前記流路を通過させて出口まで移動させるギアポンプを有するゴム押出機において、
前記円錐状ブロックを回転可能に設けてなるギアポンプ式ゴム押出機。
【請求項２】
前記円錐状ブロックを、駆動ピニオンに固定してなる請求項１に記載のギアポンプ式ゴム押出機。
【請求項３】
前記円錐状ブロックの円錐面に突起を設けてなる請求項１もしくは２に記載のギアポンプ式ゴム押出機。
【請求項４】
前記突起を螺旋状に形成してなる請求項３に記載のギアポンプ式ゴム押出機。
【請求項５】
前記突起を複数個配置してなる請求項３に記載のギアポンプ式ゴム押出機。
【請求項６】
前記円錐状ブロックの円錐面に凹部を設けてなる請求項１〜５のいずれかに記載のギアポンプ式ゴム押出機。
【請求項７】
前記ゴムをギアポンプに供給するゴムフィーダを具え、ゴムフィーダを、バレル内に回転可能に設けられたスクリューとで構成し、このバレルを前記ギアケースに固定するとともに、このスクリューを、前記駆動ピニオンに相互の軸心が一致するよう固定してなる請求項１〜６のいずれかに記載のギアポンプ式押出機。
【発明の詳細な説明】
【技術分野】
【０００１】
本発明は、ギアケース内に、一つの駆動ピニオン、この駆動ピニオンの軸線周りに配置され駆動ピニオンに噛合することにより駆動される複数の従動ピニオン、前記駆動ピニオンの軸線上に中心軸を有し駆動ピニオンから離れるに従って断面が小さくなる円錐状ブロック、ゴムを吸入するゴム吸入口、および、ゴムを、前記ギアケースと前記円錐状ブロックとの間に形成された流路に吐出するゴム吐出口を具え、駆動ピニオンを回転することにより前記ゴム吸入口から前記ゴム吐出口までそれらのピニオンの歯の間に収容されて搬送されたゴムを、前記流路を通過させて出口まで移動させるギアポンプを有するゴム押出機に関し、特に、吐出されるゴムの中にエア溜まりや異物の固まりが生成されるのを防止することのできるものに関する。
【背景技術】
【０００２】
従来から、図１に斜視図で、また、図２に平面図で、それぞれ模式的に示すようなゴム押出機が知られており、このゴム押出機のギアポンプ９０は、ギアケース９９内に、一つの駆動ピニオン９１と、この駆動ピニオン９１の周りに配置され駆動ピニオン９１に噛合することにより駆動される複数の従動ピニオン９２Ａ、９２Ｂと、駆動ピニオン９１の軸線上に中心軸を有し駆動ピニオン９１から離れるに従って断面が小さくなる円錐状ブロック８２と、例えばスクリュー式の、ゴムフィーダ８４から供給されたゴムを吸入するゴム吸入口９３Ａ，９３Ｂと、ゴムを、ギアケース９９と円錐状ブロック８２との間に形成された流路９７に吐出するゴム吐出口９４Ａ，９４Ｂとを具えて構成される。
【０００３】
このようなギアポンプ９０において、ゴムフィーダ８４から供給されゴム吸入口９３Ａ、９３Ｂから吸入されたゴムは、駆動ピニオン９１と、駆動ピニオン９１に駆動される従動ピニオン９２Ａ、９２Ｂとを回転することによってこれらのピニオン９１、９２Ａ、９２Ｂのそれぞれの歯の間に収容されてゴム吐出口９４Ａ、９４Ｂまで運ばれ、ゴム吐出口９４Ａ、９４Ｂから流路９７を通過して出口９８から外に押し出される。
【特許文献１】特開２００５−２０１２１５号公報
【発明の開示】
【発明が解決しようとする課題】
【０００４】
しかしながら、上記のような構成のギアポンプ９０にあっては、駆動ピニオン９１の軸線に直交する平面において、それぞれの従動ピニオン９２Ａ、９２Ｂは、駆動ピニオン９１の軸線周りの所定方位に位置するよう固定されており、これらのピニオン９１、９２Ａ、９２Ｂからゴムを通路９７に吐出させるゴム吐出口９４Ａ、９４Ｂも、駆動ピニオン９２の軸線周りの所定方位に位置するよう固定される。
【０００５】
そして、このことは、ゴム吐出口９４Ａ、９４Ｂから吐出されたゴムは、駆動ピニオン９１の軸線の周りに環状に形成されている流路９７の所定周方向部分９７Ａ、９７Ｂだけを通過して出口９８まで運ばれることを意味している。
【０００６】
このため、ゴム中にエア等を含む異物があった場合、それは、流路９７の形状に応じて定まる、流路９７中の決まった場所に付着し、これが極めて小さなものであっても、ゴムが長期間同じ流路部分９７Ａ、９７Ｂを通過することによって、異物が蓄積され、ついには、大きな異物の固まりとなってゴム中に混入して出口９６から吐出されることになる。そして、このような異物の混入したゴムは、ゴム製品、例えばタイヤにおける異物入り不良を招いていしまう。このような不良は、最終の検査工程で除去されるが、それまでの間に無駄な不良品を形成してしまうことになり、改善が望まれていた。
【０００７】
本発明は、このような問題点に鑑みてなされたものであり、ギアポンプから吐出されるゴムへの異物の混入を防止しすることのできるギアポンプ式押出機を提供することを目的とする。
【課題を解決するための手段】
【０００８】
＜１＞は、ギアケース内に、一つの駆動ピニオン、この駆動ピニオンの軸線周りに配置され駆動ピニオンに噛合することにより駆動される複数の従動ピニオン、前記駆動ピニオンの軸線上に中心軸を有し駆動ピニオンから離れるに従って断面が小さくなる円錐状ブロック、ゴムを吸入するゴム吸入口、および、ゴムを、前記ギアケースと前記円錐状ブロックとの間に形成された流路に吐出するゴム吐出口を具え、駆動ピニオンを回転することにより前記ゴム吸入口からゴム吐出口まで前記ピニオンの歯の間に収容されて搬送されたゴムを、前記流路を通過させて出口まで移動させるギアポンプを有するゴム押出機において、
前記円錐状ブロックを回転可能に設けてなるギアポンプ式ゴム押出機である。
【０００９】
＜２＞は、＜１＞において、前記円錐状ブロックを、駆動ピニオンに固定してなる請求項１に記載のギアポンプ式ゴム押出機である。
【００１０】
＜３＞は、＜１＞もしくは＜２＞において、前記円錐状ブロックの円錐面に突起を設けてなるギアポンプ式ゴム押出機である。
【００１１】
＜４＞は、＜３＞において、前記突起を螺旋状に形成してなるギアポンプ式ゴム押出機である。
【００１２】
＜５＞は、＜３＞において、前記突起を複数個配置してなるギアポンプ式ゴム押出機である。
【００１３】
＜６＞は、＜１＞〜＜５＞のいずれかにおいて、前記円錐状ブロックの円錐面に凹部を設けてなるギアポンプ式ゴム押出機である。
【００１４】
＜７＞は、＜１＞〜＜６＞のいずれかにおいて、前記ゴムをギアポンプに供給するゴムフィーダを具え、ゴムフィーダを、バレル内に回転可能に設けられたスクリューとで構成し、このバレルを前記ギアケースに固定するとともに、このスクリューを、前記駆動ピニオンに相互の軸心が一致するよう固定してなるギアポンプ式押出機である。
【発明の効果】
【００１５】
＜１＞によれば、円錐状ブロックを回転可能に設けたので、流路を通過するゴムと摩擦接触する円錐状ブロックを回転させることにより、ゴムを流路中で攪拌することができ、異物が一カ所に固まらないようにするとともに、異物がまだ小さな状態でゴム中に放出することができ、異物入りの不良の発生を防止することができる。
【００１６】
＜２＞によれば、円錐状ブロックを、駆動ピニオンに固定したので、円錐状ブロックを回転する回転駆動手段を不要なものとすることができる。
【００１７】
＜３＞によれば、記円錐状ブロックの円錐面に突起を設けたので、この突起によって、さらに効果的にゴムを攪拌することができる。
【００１８】
＜４＞によれば、前記突起を螺旋状に形成したので、環状をなる流路中のゴムのすべてを、螺旋に沿ってお移動させながら出口から吐出することができる。
【００１９】
＜５＞によれば、前記突起を複数個配置したので、ゴムを一層効果的に攪拌することができる。
【００２０】
＜６＞によれば、円錐状ブロックの円錐面に凹部を設けたので、これによってもゴム攪拌することができ、異物が一カ所に固まらないようにするとともに、異物がまだ小さな状態でゴム中に放出することができる。
【００２１】
＜７＞によれば、ゴムをギアポンプに供給するゴムフィーダを具え、ゴムフィーダを、バレル内に回転可能に設けられたスクリューとで構成し、このバレルを前記ギアケースに固定するとともに、このスクリューを、前記駆動ピニオンに相互の軸心が一致するよう固定したので、スクリューを回転させる駆動回転手段によってギアポンプの各ピニオンも駆動することができ、このための回転手段を、スクリューの回転手段以外には設ける必要がない。
【発明を実施するための最良の形態】
【００２２】
本発明の実施形態について、図に基づいて説明する。図３は、この実施形態のギアポンプ付押出機を模式的に示す斜視図であり、図４は、その部分断面図であり、ゴム押出機１は、ギアポンプ１０と、好ましくは、このギアポンプ１０に一体的に連結されギアポンプ１０にゴムを供給する、例えばスクリュー式のゴムフィーダ２０よりなる。
【００２３】
ギアポンプ１０は、ギアケース９内に、一つの駆動ピニオン１１、駆動ピニオン１１の軸線周りに配置され駆動ピニオン１１に噛合することにより駆動される複数の従動ピニオン１２Ａ、１２Ｂ、駆動ピニオン１１の軸線上に中心軸を有し駆動ピニオン１１から離れるに従って断面が小さくなる円錐状ブロック２、ゴムフィーダ２０から供給されたゴムを吸入するゴム吸入口１３Ａ、１３Ｂ、および、ゴムを、ギアケース９と円錐状ブロック２との間に形成された流路１７に吐出するゴム吐出口１４Ａ、１４Ｂを具えて構成される。
【００２４】
そして、ゴム吸入口１３Ａ、１３Ｂは、従動ピニオン１２Ａ、１２Ｂの歯と、駆動ピニオン１１の歯とが相互に離隔する側の、駆動ピニオン１１の歯の部分、従動ピニオン１２Ａの歯の部分、および、従動ピニオン２２Ｂの歯の部分に直接連通するよう配置され、また、ゴム吐出口１４Ａ、１４Ｂは、従動ピニオン１２Ａ、１２Ｂの歯と、駆動ピニオン１１の歯とが相互に接近する側の、駆動ピニオン１１の歯の部分、従動ピニオン１２Ａの歯の部分、および従動ピニオン３２Ｂの歯の部分に直接連通するよう配置されている。
【００２５】
このようなギアポンプ１０において、ゴム吸入口１３Ａから吸入されたゴムの一部は、駆動ピニオン１１の歯の部分の、歯と歯の間の空間に収容され、駆動ピニオン１１の回転によってゴム吐出口１４Ｂに運ばれ、また、ゴム吸入口１３Ａから吸入されたゴムの他の一部は、従動ピニオン１２Ａの歯の部分の、歯と歯の間の空間に収容され、従動ピニオン１２Ａの回転によってゴム吐出口１４Ａに運ばれる。
【００２６】
ゴム吸入口１３Ｂから吸入されたゴムについても、同様にして、その一部は、駆動ピニオン１１の歯の部分の、歯と歯の間の空間に収容され、駆動ピニオン１１の回転によってゴム吐出口１４Ａに運ばれ、また、他の一部は、従動ピニオン１２Ｂの歯の部分の、歯と歯の間の空間に収容され、従動ピニオン１２Ｂの回転によってゴム吐出口１４Ｂに運ばれる。
【００２７】
そして、ゴム吐出口１４Ａ、１４Ｂに運ばれたゴムは、ギアケース９と円錐状ブロック２とによって形成される環状の流路１７を通過して出口１８から外に押し出される。
【００２８】
ここで、本発明のゴム押出機１の特徴は、円錐状ブロック２が駆動ピニオン１１の中心軸の周りに回転可能に設けられている点であり、このことによって、流路１７を通過するゴムを攪拌し、このことによって、流路１７の壁面に付着したゴム中の微小な異物が、堆積して大きな塊になるのを防止し、よって、ゴム中に異物を含む異物入り不良の発生を抑制することができる。
【００２９】
ここで、円錐状ブロック２は、駆動ピニオン１１と一体となって回転するよう構成されているのが好ましく、円錐状ブロック２を回転するための専用の駆動機構を必要としない。
【００３０】
円錐状ブロック２の形状としては、種々の変形を施すことによって、流路１７中を通過するゴムに対する攪拌効果を向上させ、よって、ゴム中への異物の混入を確実に防止することができる。
【００３１】
円錐状ブロック２の形状の例を、図５〜図８に模式的に示すが、図５に示すように、円錐の円錐面に凹凸を施さない形状を有する円錐状ブロック２は製作上、簡易であり、一方、図６に示すように、円錐面上に、螺旋状に延在する凹条（もしくは、図示しないが凸条）を設けた円錐状ブロック２１は、ゴムに対する攪拌効果を高めることができ、また、凹条２３の代わりに、図７に示すような突起３２を２個、配置した円錐状ブロック３１も、同様の効果を奏することができ、さらに、図８に示すように、円錐状ブロック４１上の突起４２の数を例えば４個と増加させることによって、攪拌効果をさらに高めることもできる。なお、突起３２、４２の代わりに、円錐面に凹みを形成しても同様の効果を付与することができる。
【００３２】
ここで、ゴムフィーダ２０は、バレル５と、バレル内に回転可能に設けられたスクリュー４とで構成し、このバレル５を前記ギアケースに固定するとともに、このスクリュー４を、駆動ピニオン１１に相互の軸心が一致するよう固定するのが好ましく、装置をコンパクトに構成することができる。
【産業上の利用可能性】
【００３３】
本発明のゴム押出機は、種々のタイヤに対するゴム構成部材の帯状ゴムを押し出すのに適用することができる。
【図面の簡単な説明】
【００３４】
【図１】従来のゴム押出機を模式的に示す斜視図である。
【図２】従来のゴム押出機を模式的に示す平面図である。
【図３】本発明に係る実施形態のゴム押出機を模式的に示す斜視図である。
【図４】本発明に係る実施形態のゴム押出機を示す部分断面図である。
【図５】円錐状ブロックを模式的に示す斜視図である。
【図６】円錐状ブロックを模式的に示す斜視図である。
【図７】円錐状ブロックを模式的に示す斜視図である。
【図８】円錐状ブロックを模式的に示す斜視図である。
【符号の説明】
【００３５】
１    ゴム押出機
２    円錐状ブロック
４    スクリュー
５    バレル
９    ギアケース
１０    ギアポンプ
１１    駆動ピニオン
１２Ａ、１２Ｂ    従動ピニオン
１３Ａ、１３Ｂ    ゴム吸入口
１４Ａ、１４Ｂ    ゴム吐出口
２０    ゴムフィーダ
２１    円錐状ブロック
２３    螺旋状凹条
３１    円錐状ブロック
３２    突起
４１    円錐状ブロック
４２    突起
【図１】
2008223619.tif 000003
【図２】
2008223619.tif 000004
【図３】
2008223619.tif 000005
【図４】
2008223619.tif 000006
【図５】
2008223619.tif 000007
【図６】
2008223619.tif 000008
【図７】
2008223619.tif 000009
【図８】
2008223619.tif 000010